(57)【要約】      （修正有）【課題】よい集吸音効果が達成される集吸音ユニットを提供する。【解決手段】集吸音ユニットは、内部に壁１２より構成されるチャンバー１１と、開口が設けられるケース１０と、ケース１０の開口に取り付けられ、かつ複数の貫通孔２６が設けられた外集音フード２０と、中介集音フード３０と、外集音フード２０内に設けられる消音管４０と、を備える。【選択図】図１
0003146672.tif 000002
【実用新案登録請求の範囲】
【請求項１】
内部の壁（１２）により構成されるチャンバー（１１）と、
開口（１３）が設けられるケース（１０）と、
前記ケース（１０）の前記開口（１３）に取り付けられ、かつ複数の貫通孔（２６）が設けられた外集音フード（２０）と、
中介集音フード（３０）と、
前記外集音フード（２０）内に設けられる消音管（４０）と、
を備えることを特徴とする集吸音ユニット。
【請求項２】
前記外集音フード（２０）は、中環（２５）と、前記中環（２５）から内へ延伸する嵌め付け具（２８）とを有することを特徴とする請求項１記載の集吸音ユニット。
【請求項３】
前記消音管（４０）は、複数の貫通孔（４３）が設けられた外フード（４４）を有することを特徴とする請求項１記載の集吸音ユニット。
【考案の詳細な説明】
【技術分野】
【０００１】
本考案は、スピーカ（ｓｐｅａｋｅｒ）の干渉型位相差集吸音ユニット（ｕｎｉｔ）に関する。
【背景技術】
【０００２】
一般の集音フード（ｈｏｏｄ）は、一つだけの消音フードを備えるが、その消音フードは交換できなく、または他の変換装置に連結することができない。
【考案の開示】
【考案が解決しようとする課題】
【０００３】
本考案の目的は、よい集吸音効果が達成される集吸音ユニットを提供することにある。
【課題を解決するための手段】
【０００４】
本考案による集吸音ユニットは、内部に壁より構成されるチャンバー（ｃｈａｍｂｅｒ）と、開口が設けられるケース（ｃａｓｅ）と、ケースの開口に取り付けられ、かつ複数の貫通孔が設けられた外集音フードと、中介集音フードと、外集音フード内に設けられる消音管と、を備える。
【考案を実施するための最良の形態】
【０００５】
以下、本発明の実施の形態を図面に基づいて説明する。
（一実施形態）
本発明の一実施形態による集吸音ユニットを図１〜３に示す。集吸音ユニットは、内部に環形の壁１２から構成されるチャンバー１１を備え、チャンバー１１には音波がケース１０のチャンバー１１に進入するための少なくとも一つの開口１３を備える。壁12の外には、少なくとも一つの縦方向連結棒１４が設けられ、各連結棒１４内には他の支持装置へ取り付けるための孔１５と欠け溝１６とが設けられている。少なくとも一つの止め溝１７は、壁１２の開口１３に近い個所に設けられる。少なくとも一つの突き棒１８は、ケース１０のチャンバー１１内に設けられ、並びに底壁１９から延伸される。外集音フード２０は、ケース１０の開口１３内に取り付けられ、かつケース１０のチャンバー１１に嵌め込まれ、外集音フード２０の頂上端にはケース１０の頂上端に嵌め付け固定される径方向の延伸個所２１を備える。外集音フード２０は、ケース１０の止め溝１７に嵌め込むための少なくとも一つの止め具２２と、斜め錐状の前フード２３及び後フード２４と、階段状の中環２５とを含み、そのうち、前後フード２３、２４にはそれぞれ音波を通すための複数の貫通孔２６が設けられる。貫通孔２６は、各種違う形状または組群れでよい。後フード２４の底部２７は、開放状に現れてケース１０のチャンバー１１と連通する。外集音フード２０は、少なくとも一つの嵌め付け具２８を備えて中環２５から内へ延伸する。外集音フード２０は、その他違った形状にも設けられる。
【０００６】
中介集音フード３０は、外集音フード２０に取り付けられ、中環３１を備え、かつ外側には外集音フード２０の嵌め付け具２８の嵌め付けに供される環凹溝３２が設けられる。これにより、中介集音フード３０は、外集音フード２０に固定される。中介集音フード３０にもそれぞれ中環３１の前または外と、後または内側に設けられる前フードまたは外フード３３、及び後フードまたは内フード３４を備える。前フード３３および後フード３４にも音波を通すための複数の貫通孔３５が設けられる。貫通孔３５は、各種違う形状または組群れに作られる。中介集音フード３０の前フードまたは外フード３３は、集吸音のために外集音フード２０外へ少々突き出す。階段状に現れる中環３１の環形内側には、更に消音管４０を取り付けるための別の環凹溝３６が設けられる。中介集音フード３０の後フードまたは内フード３４には底壁３７が設けられ、それは円錐状に現れて上または後へ、または内フード３４の内面へ突き出す。消音管４０も円柱状に現れ、消音管４０の底部４１は中介集音フード３０の環凹溝３６に嵌め付けることができ、消音管４０の底部４１に備えられる凹または凸嵌め付け具４０は中介集音フード３０の止め溝３８の嵌め込みに供される。これにより、消音管４０は中介集音フード３０内に固定される。消音管４０にも音波を通すための複数の貫通孔４３が設けられ、貫通孔４３は、各種違う形状または組群れに作られる。消音管４０は更に外フード４４が設けられ、集吸音のために中介集音フード３０の外へ少々突き出し、または突き出さなくてもよい。
【０００７】
図１または図４に示すように、操作時、音波は集音フード２０、３０と消音管４０の貫通孔２６、３５、４３を通じてケース１０のチャンバー１１内に入り、それからケース１０の壁１２によって折射し、位相差または周波数変換の効果が達成され、並びに周波数の違う音波の除去または吸収に用いられ、または周波数変換の作用が達成される。本実施形態では、二層または二層以上、または多層フード２３、２４または消音管４０を設けてもよく、これら幾層のフード２３、２４または消音管４０の回折を経てＮ次周波数変換になり、かつ逆方向の同じ振動幅の位相差が発生し、それによってこれら可聴周波数は互いに干渉して相殺するので、これら可聴周波数は集吸音ユニット内に進入するだけで流れ出せなく、極めてよい集吸音効果が達成される。
【図面の簡単な説明】
【０００８】
【図１】本考案の一実施形態による集吸音ユニットの一部を切り欠いた斜視図である。
【図２】本考案の一実施形態による集吸音ユニットの一部を切り欠いた側面図である。
【図３】本考案の一実施形態による集吸音ユニットのケースの斜視図である。
【図４】本考案の他の実施形態による集吸音ユニットの一部を切り欠いた斜視図である。
【図５】本考案の他の実施形態による集吸音ユニットの一部を切り欠いた側面図である。
【符号の説明】
【０００９】
１０：ケース、１１：チャンバー、１２：壁、１３：開口、１４：連結棒、１５：孔、１６：欠け溝、１７：止め溝、１８：突き棒、１９：底壁、２０：外集音フード、２２：止め具、２３：前フード、２４：後フード、２５：中環、２６：貫通孔、２７：底部、２８：嵌め付け具、３０：中介集音フード、３１：中環、３２：環凹溝、３３：前または外フード、３４：後または内フード、３５：貫通孔、３６：環凹溝、３７：底壁、３８：止め溝、４０：消音管、４１：底部、４２：凹または凸嵌め付け具、４３：貫通孔、４４：外フード
【図１】
0003146672.tif 000003
【図２】
0003146672.tif 000004
【図３】
0003146672.tif 000005
【図４】
0003146672.tif 000006
【図５】
0003146672.tif 000007
【手続補正書】
【提出日】平成20年9月16日(2008.9.16)
【手続補正１】
【補正対象書類名】実用新案登録請求の範囲
【補正対象項目名】全文
【補正方法】変更
【補正の内容】
【実用新案登録請求の範囲】
【請求項１】
壁（１２）により構成されるチャンバー（１１）と、
一端に開口（１３）が設けられ、前記チャンバー（１１）を有するケース（１０）と、
前記ケース（１０）の前記開口（１３）に取り付けられ、かつ複数の貫通孔（２６）が設けられた外集音フード（２０）と、
前記外集音フード（２０）に取り付けられる中介集音フード（３０）と、
前記外集音フード（２０）内に設けられる消音管（４０）と、
を備えることを特徴とする集吸音ユニット。
【請求項２】
前記外集音フード（２０）は、中環（２５）と、前記中環（２５）から内へ延伸する嵌め付け具（２８）とを有することを特徴とする請求項１記載の集吸音ユニット。
【請求項３】
前記消音管（４０）は、複数の貫通孔（４３）が設けられた外フード（４４）を有することを特徴とする請求項１記載の集吸音ユニット。